(57)【要約】【課題】栞を用いるユーザが書籍を読んでいるときにおける疎ましさを減じる。【解決手段】栞１００は、透明なシート１１０を備える。シート１１０は柔軟であり、透明である。シート１１０は、その栞と組合わせて用いられることが予定された書籍の判の大きさ、形状と略対応した矩形とされる。シート１１０には、何も印刷されない中央部１１０Ａと、広告が印刷されることのある外周部１１０Ｂがある。中央部１１０Ａは、書籍の版面１Ａをその内側に納めることのできる大きさ、形状とされる。栞１００は書籍のページ１に重ねた状態であっても、ユーザがそのまま読書をすることを妨げない。【選択図】図２
2011005763.tif 000002
【特許請求の範囲】
【請求項１】
特定の判の書籍と組合わせて用いられることが予定された栞であって、
前記書籍の判の大きさと略同じ大きさの略矩形で透明のシートを備えている、
栞。
【請求項２】
前記シートは、前記判より若干大きく構成されており、前記書籍に挟んだときにその周囲の余剰部が前記書籍から食み出すようになっている、
請求項１記載の栞。
【請求項３】
前記シートの前記余剰部は、前記シートの余剰部以外の部分から容易に切除できるようになっている、
請求項２記載の栞。
【請求項４】
前記シートの周縁の少なくとも一部に広告が付されており、前記広告のすべての部分は、前記シートを前記書籍の所定のページにおいたときに当該ページの版面の外にさせられるようになっている、
請求項１記載の栞。
【請求項５】
前記余剰部に広告が付されている、
請求項３記載の栞。
【請求項６】
前記シートの周縁の一部に、前記シートを前記書籍に挟み込んだ場合に書籍の天、地、又は小口から覗く摘みが設けられている、
請求項１記載の栞。
【発明の詳細な説明】
【技術分野】
【０００１】
本願発明は、書籍に挟んで用いられる栞に関する。
【背景技術】
【０００２】
書籍のページに目印をつける、例えば書籍のどのページまで読み終わったかという目印をつけるための道具として、古くから栞が使われている。
栞には様々なものがあるが、もっとも一般的なのは短冊状の紙片と、その紙片の４つの角の１つの近傍に穿たれた孔に結び付けられた紐とを備えたものである。
広く普及しているこのような栞はもちろん十分実用に耐えるものではあるが、多少の不便がある。
上述の如き栞を用いる場合、栞のユーザは、書籍を読んでいるときの置き場所に苦労することがある。書籍を読んでいるとき栞は、今現在開いているページの中央に寄せておいたり、或いは、今現在開いているページとは無関係な部分に挟みこんでおいたりする。しかしながら、前者の場合には、栞が動く場合があり疎ましく、また、栞がそのページの版面（文章等の印刷されている部分）に掛かった場合には栞が書籍を読むのを邪魔することになる。他方後者の場合には、ずれた栞が書籍から落下する場合がありこれもまた疎ましい。
【発明の概要】
【発明が解決しようとする課題】
【０００３】
本発明は、栞を用いるユーザが書籍を読んでいるときにおける疎ましさを減じることのできる栞を提供することをその課題とする。
【課題を解決するための手段】
【０００４】
本願発明者は、かかる課題を解決するための発明として、以下の栞を提案する。
本願発明者が提案するのは、特定の判の書籍と組合わせて用いられることが予定された栞であって、前記書籍の判の大きさと略同じ大きさの略矩形で透明のシートを備えている、栞である。
この栞は、書籍の判の大きさ（つまり、書籍の各ページを構成する紙の大きさ）と略同じ大きさのシートをその基本的な構成部材としている。したがってこの栞は、栞のユーザが読書を行なう際に、現在開いているページのいずれか（見開きの状態となっている左右のページの一方）に重ねた状態とした場合、非常に座りが良くずれにくい。特に、栞のシートの書籍の中央よりの縦辺を書籍の見開きの状態となっている左右のページの間の窪みに差し込んだ場合には尚更である。しかもこの栞を構成するシートは透明なので、その状態でも、ユーザはシートの下にある書籍のページを見るに困難はない。
以上の理由で、この栞は、ユーザが書籍を読んでいるときにユーザが感じる疎ましさを大幅に減じることができる。
【０００５】
上述のように本願発明による栞を構成するシートは、透明である。もっとも、この場合の透明は無色透明でも有色透明でも構わないが、無色透明の方が、この栞を使用しつつ読書を行うユーザは不自然さを感じることが少ないと考えられる。
本願発明の栞は、上述のように、現在開いているページのいずれかに重ねた状態のまま読書をすることをユーザに許容する。そのとき栞を構成するシートは、書籍の各ページを構成する紙になじむ程度に柔らかいと書籍に対する座りが更に良くなる。そのような栞の材質は特に制限はないが、例えば、塩化ビニル、ポリエチレン等の適当な樹脂を採用できるが昨今の環境に対する意識の高まりを考慮すれば、焼却に際してダイオキシンを生じないものを採用するのが好ましい。またシートの厚さは０．０１〜１ｍｍ程度とすることができる。
【０００６】
本願発明の栞に用いられるシートは、上述のようにその栞が使用時において組合されることが予定された書籍の判と略同じ大きさとなっている。例えば、栞と組合されることが予定された書籍が文庫本であるのであれば栞は文庫本サイズ程度に、栞と組合されることが予定された書籍が新書であれば栞は新書サイズ程度にすることができる。栞は必ずしもそれが組合されることが予定された書籍の判と正確に同じ大きさである必要はなく、その判の大きさよりも大きくても小さくても構わない。
また、本願発明の栞に用いられるシートは略矩形であり、必ずしも正確に矩形である必要はない。例えばシートは、その角の部分で面取りしてあっても構わない。
【０００７】
本願発明の栞に用いられるシートは、前記判より若干大きく構成されており、前記書籍に挟んだときにその周囲の余剰部が前記書籍から食み出すようになっていても構わない。
シートが余剰部を有する場合、前記シートの前記余剰部は、前記シートの余剰部以外の部分から容易に切除できるようになっていてもよい。シートの余剰部を余剰部以外の部分から容易に切除できるようにするための工夫はどのようなものであっても構わないが、例えばシートの余剰部と余剰部以外の境界に溝を入れておいたり、さもなくばミシン線を入れておいたりすればその目的は達せられる。
シートの余剰部は、例えば、シートの４辺にあってもよいが、シートのうちの少なくとも一辺にあればよい。
【０００８】
本願発明の栞に使用されるシートには、広告が付されていても構わない。例えば、前記シートの周縁の少なくとも一部に広告が付されており、前記広告のすべての部分は、前記シートを前記書籍の所定のページにおいたときに当該ページの版面の外にさせられるようになっていてもよい。シートは上述したように透明である。しかしながら、書籍においては、各ページの外周の余白部分（版面の外側の部分）はユーザにとって必ずしも見える必要がないのであるから、シートの版面に掛からない部分に広告が入っていたとしてもユーザにとってなんら不都合はない。他方、紙片に紐が結び付けられた従来からの栞に比べてシートの周縁に設けられた広告はユーザの目に入り易いため広告主にとって有利である。
「前記広告のすべての部分は、前記シートを前記書籍の所定のページにおいたときに当該ページの版面の外にさせられるようになっている」というのは、シートの位置をページに対して適当に調整してやることにより広告が当該ページの版面にかからないようにすることができる、それが可能なように広告がシートに付されている、という意味である。
広告は上述したように、シートの周縁の少なくとも一部に付されることになるが、例えば、略矩形のシートの４辺のうちの少なくとも一辺に沿うようにすることができる。
【０００９】
本願発明の栞のシートが上述の余剰部を有する場合、余剰部に広告が付されていても構わない。余剰部に付される広告は余剰部のすべての部分に付されていても構わないし、余剰部の一部のみに付されていても構わない。
余剰部に広告が付されている場合であっても、シートの余剰部以外の部分に広告が付されていてもよい。このような場合においては、余剰部が切取られることを考慮して、余剰部に付された広告と、余剰部以外の部分に付される広告に与える役割、性質を変えることができる。
【００１０】
本願発明の栞は、前記シートの周縁の一部に、前記シートを前記書籍に挟み込んだ場合に書籍の天、地、又は小口から覗く摘みが設けられていてもよい。この摘みは、シートと一体となっていてもよく、従来の栞の紙片に結び付けられていた紐と同様に、シートに結び付けられた紐により構成されていてもよい。
【図面の簡単な説明】
【００１１】
【図１】本発明の第１実施形態による栞の平面図。
【図２】図１に示した栞と書籍のページの関係を示す図。
【図３】変形例１による栞の平面図。
【図４】本発明の第２実施形態による栞の平面図。
【図５】変形例２による栞の平面図。
【図６】変形例３による栞の平面図。
【発明を実施するための形態】
【００１２】
以下、本発明の第１実施形態及び第２実施形態を、図面を参照しながら詳細に説明する。
各実施形態において共通する対象には共通の符号を付すこととし、重複する説明は場合により省略することとする。
【００１３】
≪第１実施形態≫
図１に、第１実施形態の栞１００の平面図を示す。この栞１００は、特定の判の書籍、この実施形態では、文庫本に組合わせて用いられることが予定されている。
栞１００は、シート１１０を備えている。シート１１０は、略矩形とされるが、この実施形態では矩形である。略矩形の形状が採用される場合のシート１１０は、例えばその４隅の少なくとも１つが面取りされる。シート１１０の大きさは、この栞が組合せて用いられることが予定されている書籍（文庫本）の判の形状、大きさと略一致しており、この実施形態では、当該書籍の判よりも一回り（例えば、縦、横ともに数ｍｍ〜１０ｍｍ程度）小さい形状、大きさとされている。
シート１１０は、透明とされるが、この実施形態では無色透明とされている。シート１１０は、この栞１００が組合わせて用いられることが予定された書籍の各ページを構成する紙になじむ程度の柔軟性を有している。これらの条件を満たすシート１１０の材料は、これには限られないが、ポリエチレンである。またシート１１０の厚さは０．０１〜１ｍｍ程度とすることができる。
【００１４】
線を引く或いは色分けするなどにより明確な区切りが設けられているわけではないし、そのような明確な区切りが設けられる必要もないが、この実施形態のシート１１０は、中央部１１０Ａと、外周部１１０Ｂに概念上分けられている。中央部１１０Ａは、栞１００をそれが組合されることの予定されていた書籍（文庫本）の所定のページの上に重ねて栞１００の書籍の当該ページに対する位置を適当に調整した場合に、当該書籍の版面を含むことのできるような形状、大きさとされている。外周部１１０Ｂは、シート１１０の周縁部に位置しており、中央部１１０Ａを囲んでいる。
【００１５】
この実施形態では、シート１１０の外周部１１０Ｂには、広告が付されている。広告は、シート１１０の外周部１１０Ｂの全体に付されていても構わないが、シート１１０の外周部１１０Ｂの一部のみに付されていても構わない。広告は、テキスト、イラスト、写真等、通常用いられている表現形態のものでよい。
外周部１１０Ｂに広告は、例えば、印刷により付すことができるが、エンボス加工などの他の手段によって付すこともできる。広告は、透明な外周部１１０Ｂの片面にのみ付すことができる。外周部１１０Ｂの両面に下地＋広告のテキスト等を印刷すれば、シート１１０の両面に異なる広告を付すこともできる。外周部１１０Ｂには、その一部でもその全部でも構わないが、紙を貼り付けることもでき、その紙の上に広告を印刷することもできる。紙は、外周部１１０Ｂの片面のみに貼り付けても、外周部１１０Ｂの両面に貼り付けてもよい。
【００１６】
栞１００と、この栞１００と組合わせて用いることが予想されていた書籍のあるページ１との関係（乃至栞１００の使用状態）を図２に示した。
栞１００は図２に示したように、書籍のページ１に重ねた状態で使用することができる。栞１００のシート１１０は、図２に示したように、ページ１より一回り小さい。シート１１０の中央部１１０Ａは、シート１１０のページ１に対する位置を調整することにより、中央部１１０Ａの範囲に当該ページの版面１Ａを収められるようになっている。版面１Ａは通常、書籍のすべてのページ１Ａにおいて同じ大きさとなっているから、この栞１００は書籍のどのページ１に重ねたとしても、図２に示したような状態を作り出すことができる。
ユーザは、一般的な栞と同様に、この栞１００を書籍のあるページ１を探し出すための目印として書籍に挟み込むことができるとともに、栞１００が挟み込まれた２つのページ１を開いたときに、当該ページ１のうちのいずれかのページ１に栞１００を図２に示したような状態で重ねたまま、そのページ１を読むことができる。このとき栞１００は、その見開かれた２つのページ１の間に、その縦の辺のうちの書籍の中心に近い側のものを寄せておく。そうすることにより、この栞１００は書籍に対してずれ難くなる。
【００１７】
＜変形例１＞
第１実施形態に示した栞１００は、図３に示したような変形例１の栞１００に変形することができる。
図３は変形例１の栞１００の平面図である。
変形例１の栞１００は、基本的に第１実施形態の栞１００と殆ど同様に構成されている。変形例１の栞１００は、その外周の一部に摘み１１０Ｃを備えている。変形例１の栞１００では、必ずしもこの限りではないが、シート１１０の上端の辺に、摘み１１０Ｃが設けられている。この摘み１１０Ｃは、この実施形態では、シート１１０と一体に設けられているが、例えば、シート１１０に開けた孔に結ばれた紐であってもよい。
摘み１１０Ｃは、栞１００を書籍に挟んだときに書籍の天、地、又は小口から覗くようにされており（変形例１では、書籍の天から覗くようにされている。）、書籍に挟まれた栞１００をユーザが発見し易くするのに一役買う。
摘み１１０Ｃを有する栞１００の場合、摘み１１０Ｃには、外周部１１０Ｂと同様に紙を貼り付けることができる。紙は、摘み１１０Ｃの片面に貼り付けられても良いし、摘み１１０の両面に貼り付けられても良い。
【００１８】
≪第２実施形態≫
図４に、第２実施形態の栞２００の平面図を示す。この栞２００は第１実施形態の栞１００と基本的な構成を同一とする。
栞２００は第１実施形態の栞１００に、栞２００を書籍に挟んだ場合に書籍から食み出る余剰部１１０Ｄを加えた構成となっている。
余剰部１１０Ｄは、栞１００の外周沿いであればどこに設けられていても構わないが、第２実施形態の場合には、図４における右側の辺と上側の辺に略Ｌ字型の形状となるようにして設けられている。
余剰部１１０Ｄは、シート１１０の一部となっており、シート１１０と一体に構成されている。この実施形態の余剰部１１０Ｄは、必ずしもこの限りではないが、シート１１０の余剰部１１０Ｄ以外の部分（つまり、中央部１１０Ａ、及び外周部１１０Ｂ）から容易に切り離すことができるようにされている。それが可能なように、余剰部１１０Ｄと、余剰部１１０Ｄと隣接する外周部１１０Ｂとの境界には、図示を省略するがミシン線が入れられている。なお、ミシン線に代えて、余剰部１１０Ｄの切り離しを容易にすることができる程度の深さの溝が入れられていてもよい。
余剰部１１０Ｄの少なくとも一部に、外周部１１０Ｂに付すのと同様の広告を付すことができる。なお、余剰部１１０Ｄの少なくとも一部の少なくとも片面に紙を貼り付けても良いのは、第１実施形態の場合と同様である。
余剰部１１０Ｄを設けると次のような効果を生じさせることができる。例えば、書店で書籍に栞２００を挟んだ状態で書籍を販売することとした場合には、書籍を買ったユーザは必ず書籍から食み出た余剰部１００を目にすることになるから余剰部１１０Ｄに付された広告は、従来の栞よりもより大きな広告効果を発揮できる。また、余剰部１１０Ｄを余剰部１１０Ｄ以外の部分から容易に切り離せるようにした場合には、余剰部１１０Ｄをユーザが切り離す場合には、その一手間を掛けるユーザが余剰部１１０Ｄに付された広告を目にする可能性が増えるし、ユーザが余剰部１１０Ｄを切り離さないでそのまま栞２００を用いる場合には、書籍から食み出た余剰部１１０Ｄに付された広告がユーザの目に付く可能性が上がり、場合によってはユーザの周囲にいる人の目にその広告が触れる可能性がある。
また、外周部１１０Ｂから切り離すことのできる余剰部１１０Ｄを備える栞２００であれば、それが外周部１１０Ｂから切り離されるという特性を考慮した広告を余剰部１１０Ｄに、そうでない広告を外周部１１０Ｂに入れることができる。例えば余剰部１１０Ｄには、外周部１１０Ｂに付された広告で紹介された店舗で用いることのできるクーポン券を印刷することができるが、外周部１１０Ｂに付す広告を最小限のものとすることで栞２００を用いるユーザに栞２００が煩いという印象を持たれ難くすることができる。
【００１９】
＜変形例２＞
変形例２による栞２００を図５に示す。
変形例２による栞２００の構成は、第２実施形態の栞２００と基本的に変らない。変形例２の栞２００が第２実施形態の栞２００と異なるのは、余剰部１１０Ｄの形状である。
図５に示したように、変形例３の栞２００の余剰部１１０Ｄは、外周部１１０Ｂの外周を一周するような形状となっている。変形例２の栞２００の余剰部１１０Ｄは、第２実施形態の場合と同様、外周部１１０Ｂから容易に切り離せるようになっている。
このように余剰部１１０Ｄの形状は、適当に決定することができる。
【００２０】
＜変形例３＞
変形例３による栞２００を図６に示す。
変形例３による栞２００の構成は、第２実施形態の栞２００と基本的に変らない。変形例３の栞２００が第２実施形態の栞２００と異なるのは、余剰部１１０Ｄの形状である。
図６に示したように、変形例２の栞２００の余剰部１１０Ｄは、外周部１１０Ｂの上側の辺の上に設けられ、その形状は長楕円形を半分に切断した形状である。このように、余剰部１１０Ｄを含めた栞２００の形状は、必ずしも矩形である必要はない。
【符号の説明】
【００２１】
１  ページ
１Ａ  版面
１００  栞
１１０  シート
１１０Ａ  中央部
１１０Ｂ  外周部
１１０Ｃ  摘み
１１０Ｄ  余剰部
２００  栞
【図１】
2011005763.tif 000003
【図２】
2011005763.tif 000004
【図３】
2011005763.tif 000005
【図４】
2011005763.tif 000006
【図５】
2011005763.tif 000007
【図６】
2011005763.tif 000008